(57)【要約】【課題】バッテリの装着時における操作性を低下させることなく、バッテリの脱落を防止できる充電器を提供する。【解決手段】充電器１Ａは、バッテリ９を着脱可能に装着して充電可能な充電器である。充電器１Ａは、凹状に形成され、バッテリ９が載置される装着部と、装着部内に設けられた充電端子４０と、装着部にバッテリ９が載置された状態で、バッテリ９のバッテリ端子９０が充電端子４０に接触した姿勢であって、バッテリ９の充電が可能な充電姿勢と、バッテリ端子９０から充電端子４０から離隔した姿勢であって、充電姿勢と異なる退避姿勢とにバッテリ９を保持する保持部とを備える。装着部は、第１板部７１、第２板部７２、及び第３板部７３を備える。第１板部７１は、突起部７１Ｂ、及び、窪み部７１Ｃを備える。【選択図】図１１
2019193468.tif 000002
【特許請求の範囲】
【請求項１】
バッテリを着脱可能に装着して充電可能な充電器であって、
凹状に形成され、前記バッテリが載置される受部と、
前記受部内に設けられた充電端子と、
前記受部に前記バッテリが載置された状態で、
前記バッテリのバッテリ端子が前記充電端子に接触した姿勢であって、前記バッテリの充電が可能な第１姿勢と、
前記バッテリ端子から前記充電端子から離隔した姿勢であって、前記第１姿勢と異なる第２姿勢と
に前記バッテリを保持する保持部と
を備えたことを特徴とする充電器。
【請求項２】
前記受部は、
第１方向の一方側に開口し、且つ、前記第１方向と直交する第２方向に対向する一対の辺を少なくとも含む開口部と、
前記一対の辺のうち前記第２方向の一方側の辺から、前記第１方向の他方側に対して傾斜した第１傾斜方向に延びる第１板部であって、前記充電端子と、前記充電端子よりも前記開口部側と反対側で前記受部の内側に突出する突起部とを有する前記第１板部と、
前記一対の辺のうち前記第２方向の他方側の辺から、前記第１傾斜方向に延びる第１部分、及び、前記第１部分のうち前記開口部側と反対側の端部から前記第１方向の他方側に延びる第２部分を有する第２板部、及び、
前記第１板部及び前記第２板部のそれぞれの、前記開口部側と反対側の端部の間に亙って、前記第１傾斜方向と交差する第２傾斜方向に延びる第３板部を備え、
前記保持部は、前記突起部、前記第２板部、及び前記第３板部を含み、
前記バッテリは、対向する一対の第１側面、一対の第２側面、及び一対の第３側面を有する略直方体であり、
前記充電器が前記第２姿勢の場合、
前記一対の第１側面は、前記第１方向に略対向し、前記一対の第２側面は、前記第２方向に略対向し、前記一対の第３側面は、前記第１方向及び前記第２方向と直交する第３方向に対向し、
前記一対の第２側面のうち前記第２方向の一方側の前記第２側面の、前記第１方向の他方側の端部は、前記突起部に当接し、
前記一対の第１側面のうち前記第１方向の他方側の前記第１側面の、前記第２方向の他方側の端部は、前記第３板部に当接し、
前記一対の第２側面のうち前記第２方向の他方側の前記第２側面は、前記第２板部の前記第１部分と当接することによって、前記保持部に保持されることを特徴とする請求項１に記載の充電器。
【請求項３】
前記第１板部は、
前記突起部よりも前記開口部側と反対側に、前記第１方向の他方側に窪んだ窪み部を有し、
前記第３板部は、
前記窪み部のうち前記開口部側と反対側の端部に連接したことを特徴とする請求項２に記載の充電器。
【請求項４】
前記受部は、前記第３方向に対向する一対の側板部を有し、
前記保持部は、
前記一対の側板部のそれぞれに設けられ、弾性変形可能な一対の保持爪を更に含み、
前記バッテリが前記第１姿勢の場合、
前記一対の第１側面は、前記第１傾斜方向と略直交し、前記一対の第２側面は、前記第１板部及び前記第２板部の前記第１部分と平行に配置され、且つ、一方側の前記第２側面は前記第１板部に対向し、前記一対の第３側面は、前記一対の側板部と平行に配置され、
一方側の前記第２側面に設けられた凸部は、前記突起部と当接し、
他方側の前記第２側面の一部に、前記一対の保持爪が係合して保持することを特徴とする請求項２又は３に記載の充電器。
【発明の詳細な説明】
【技術分野】
【０００１】
本発明は、充電器に関する。
【背景技術】
【０００２】
バッテリの充電が可能な充電器において、バッテリの脱落を防止するための構造が提案されている。特許文献１は、バッテリを挿入する凹部の両側に凸部が形成され、且つ、凹部の底面に段差部を有する充電装置を開示する。凸部は、バッテリのケースに形成された溝部に嵌入される。段差部は凸部近傍に設けられ、バッテリの回動時における支点の位置を凸部近傍に規定する。支点の位置が凸部近傍に規定された場合、充電装置の凸部からバッテリの溝部が外れ難くなるので、バッテリは充電装置に対して回動し難くなる。このため充電装置は、バッテリの回動による脱落を防止できる。
【先行技術文献】
【特許文献】
【０００３】
【特許文献１】特開２００１−１５５７８５号公報
【発明の概要】
【発明が解決しようとする課題】
【０００４】
使用者が上記充電装置にバッテリを装着する場合、バッテリの溝部と充電装置の凸部との位置合わせを行う必要がある。このため使用者は、充電装置にバッテリを装着する操作を容易に行うことができない場合がある。
【０００５】
本発明の目的は、バッテリの装着時における操作性を低下させることなく、バッテリの脱落を防止できる充電器を提供することである。
【課題を解決するための手段】
【０００６】
本発明に係る充電器は、バッテリを着脱可能に装着して充電可能な充電器であって、凹状に形成され、前記バッテリが載置される受部と、前記受部内に設けられた充電端子と、前記受部に前記バッテリが載置された状態で、前記バッテリのバッテリ端子が前記充電端子に接触した姿勢であって、前記バッテリの充電が可能な第１姿勢と、前記バッテリ端子から前記充電端子から離隔した姿勢であって、前記第１姿勢と異なる第２姿勢とに前記バッテリを保持する保持部とを備えたことを特徴とする。
【０００７】
充電器は、受部内に載置されたバッテリを、充電が可能な第１姿勢で保持できる。このため使用者は、バッテリを受部に載置する操作を行うだけでバッテリの充電が可能となるので、充電器に対するバッテリの装着操作を容易に実行できる。又、充電器は、充電端子がバッテリ端子から離隔した第２姿勢でバッテリを保持することもできる。このため、例えば使用者は、装着されたバッテリを脱離する過程で、バッテリを一時的に第２姿勢で維持できる。このため充電器は、バッテリの着脱の過程でバッテリが脱落することを防止できる。
【０００８】
本発明において、前記受部は、第１方向の一方側に開口し、且つ、前記第１方向と直交する第２方向に対向する一対の辺を少なくとも含む開口部と、前記一対の辺のうち前記第２方向の一方側の辺から、前記第１方向の他方側に対して傾斜した第１傾斜方向に延びる第１板部であって、前記充電端子と、前記充電端子よりも前記開口部側と反対側で前記受部の内側に突出する突起部とを有する前記第１板部と、前記一対の辺のうち前記第２方向の他方側の辺から、前記第１傾斜方向に延びる第１部分、及び、前記第１部分のうち前記開口部側と反対側の端部から前記第１方向の他方側に延びる第２部分を有する第２板部、及び、前記第１板部及び前記第２板部のそれぞれの、前記開口部側と反対側の端部の間に亙って、前記第１傾斜方向と交差する第２傾斜方向に延びる第３板部を備え、前記保持部は、前記突起部、前記第２板部、及び前記第３板部を含み、前記バッテリは、対向する一対の第１側面、一対の第２側面、及び一対の第３側面を有する略直方体であり、前記充電器が前記第２姿勢の場合、前記一対の第１側面は、前記第１方向に略対向し、前記一対の第２側面は、前記第２方向に略対向し、前記一対の第３側面は、前記第１方向及び前記第２方向と直交する第３方向に対向し、前記一対の第２側面のうち前記第２方向の一方側の前記第２側面の、前記第１方向の他方側の端部は、前記突起部に当接し、前記一対の第１側面のうち前記第１方向の他方側の前記第１側面の、前記第２方向の他方側の端部は、前記第３板部に当接し、前記一対の第２側面のうち前記第２方向の他方側の前記第２側面は、前記第２板部の前記第１部分と当接することによって、前記保持部に保持されてもよい。充電器の保持部は、第２姿勢のバッテリを複数の点で保持できるので、第２姿勢のバッテリを安定的に保持できる。
【０００９】
本発明において、前記第１板部は、前記突起部よりも前記開口部側と反対側に、前記第１方向の他方側に窪んだ窪み部を有し、前記第３板部は、前記窪み部のうち前記開口部側と反対側の端部に連接してもよい。充電器は、第１姿勢と第２姿勢との間でバッテリが移動する場合、窪み部にバッテリの一部を通過させながら移動させることができる。従って、充電器は、第１姿勢と第２姿勢との間でバッテリをスムーズに移動させることができる。このため使用者は、例えばバッテリを第１姿勢から第２姿勢に移動させることによって、充電器からバッテリを容易に脱離させることができる。
【００１０】
本発明において、前記受部は、前記第３方向に対向する一対の側板部を有し、前記保持部は、前記一対の側板部のそれぞれに設けられ、弾性変形可能な一対の保持爪を更に含み、前記バッテリが前記第１姿勢の場合、前記一対の第１側面は、前記第１傾斜方向と略直交し、前記一対の第２側面は、前記第１板部及び前記第２板部の前記第１部分と平行に配置され、且つ、一方側の前記第２側面は前記第１板部に対向し、前記一対の第３側面は、前記一対の側板部と平行に配置され、一方側の前記第２側面に設けられた凸部は、前記突起部と当接し、他方側の前記第２側面の一部に、前記一対の保持爪が係合して保持してもよい。充電器の保持部は、第１姿勢のバッテリを一対の保持爪で保持できるので、第１姿勢のバッテリを安定的に保持できる。
【図面の簡単な説明】
【００１１】
【図１】充電器１Ａ及びバッテリ９の斜視図である。
【図２】第１カバー２の斜視図である。
【図３】第１カバー２の平面図である。
【図４】第１カバー２の底面図である。
【図５】第２カバー３の斜視図である。
【図６】第２カバー３の平面図である。
【図７】第２カバー３の底面図である。
【図８】第２カバー３及び基板ホルダ４の斜視図である。
【図９】充電器１Ａの平面図である。
【図１０】図９のＡ−Ａ線を矢印方向から見た断面図である。
【図１１】バッテリ９を充電姿勢で保持した充電器１Ａの断面図である。
【図１２】バッテリ９が充電姿勢と退避姿勢との間で移動する場合における充電器１Ａの断面図である。
【図１３】バッテリ９を退避姿勢で保持した充電器１Ａの断面図である。
【発明を実施するための形態】
【００１２】
＜充電器１Ａの概要＞
本発明の一実施形態について、図面を参照して説明する。充電器１Ａは、バッテリ９を充電するための充電器である。バッテリ９は、充電器１Ａの装着部７に着脱可能に装着される。バッテリ９は、装着部７に装着された状態で充電される。充電されたバッテリ９は、非図示の印刷装置に装着され、印刷装置を駆動する。充電器１Ａは、水平姿勢又は垂直姿勢で使用することが可能である。水平姿勢は、机等の水平面に載置された状態における充電器１Ａの姿勢である。垂直姿勢は、壁等の垂直面に取り付けられた状態における充電器１Ａの姿勢である。又、充電器１Ａは、充電姿勢又は退避姿勢でバッテリ９を保持することが可能である。充電姿勢は、充電器１Ａの端子（充電端子４０、後述）がバッテリ９の端子（バッテリ端子９０、後述）に接触して充電可能な状態におけるバッテリ９の姿勢である。退避姿勢は、充電器１Ａの充電端子４０がバッテリ９のバッテリ端子９０から離隔した状態におけるバッテリ９の姿勢である。以下、図１の右下側、左上側、右上側、左下側、上側、及び下側を、それぞれ、充電器１Ａの前側、後側、右側、左側、上側、及び下側と定義する。充電器１Ａの各方向は、水平姿勢における充電器１Ａの各方向に対応する。
【００１３】
＜筐体１０（第１カバー２、第２カバー３）＞
図１に示すように、充電器１Ａは筐体１０を有する。筐体１０は、第１カバー２及び第２カバー３を有する。具体的には、第１カバー２は、筐体１０の上側を構成し、第２カバー３は、筐体１０の下側を構成する。
【００１４】
図２〜図４に示すように、第１カバー２は、壁部２１Ｆ、２１Ｅ（図３、図４参照）、２１Ｌ、２１Ｒ、２１Ｕ（図２参照）を有する。壁部２１Ｆ、２１Ｅ、２１Ｌ、２１Ｒ、２１Ｕはそれぞれ、第１カバー２の各壁部のうち前端部、後端部、左端部、右端部、及び上端部を形成する。壁部２１Ｆ、２１Ｅは前後方向と直交する。壁部２１Ｌ、２１Ｒは左右方向と直交する。壁部２１Ｕは、前後方向中央から前端部に向けて下側に傾斜する部分と、前後方向中央から後端部に向けて下側に傾斜する部分とを有する。壁部２１Ｕには、上側に開口する開口部２３が形成される。図３に示すように、開口部２３の形状は、上側から見た状態で左右方向に長い長方形を有する。開口部２３の４辺のうち前後方向に対向する一対の辺２３Ｆ、２３Ｅは、左右方向に延びる。辺２３Ｆは壁部２１Ｆ近傍に配置され、辺２３Ｅは壁部２１Ｅ近傍に配置される。開口部２３の下側に、後述する装着部７が設けられる。壁部２１Ｕのうち開口部２３の左側に、円形の貫通孔２９が形成される。貫通孔２９には、後述するＬＥＤライトパイプ４９（図８参照）の先端部が挿通する。
【００１５】
図３、図４に示すように、第１カバー２の装着部７に、左右方向に長い長方形状の貫通孔７０Ｄが形成される。図４に示すように、貫通孔７０Ｄの４辺のうち前後方向に対向する一対の辺は、それぞれ左右方向に延びる。一対の辺のうち前側の辺は、壁部２１Ｆにより形成され、後側の辺は、後述する傾斜部２４の前端部により形成される。
【００１６】
図５、図６、図７に示すように、第２カバー３は、壁部３１Ｆ、３１Ｅ、３１Ｌ、３１Ｒ、３１Ｂを有する。壁部３１Ｆ、３１Ｅ、３１Ｌ、３１Ｒ、３１Ｂはそれぞれ、第２カバー３の各壁部のうち前端部、後端部、左端部、右端部、及び下端部を形成する。壁部３１Ｆ、３１Ｅは前後方向と直交し、壁部３１Ｌ、３１Ｒは左右方向と直交する。壁部３１Ｂは上下方向と直交し、壁部３１Ｆ、３１Ｅ、３１Ｌ、３１Ｒによって周縁を囲まれる。壁部３１Ｆ、３１Ｅ、３１Ｌ、３１Ｒはそれぞれ、壁部３１Ｂに対して上側及び下側に延びる。
【００１７】
図６に示すように、壁部３１Ｂの上面に、上側に延びる板状のリブ３４が設けられる。リブ３４は、壁部３１Ｂの上側の領域を、領域３４Ａ、３４Ｂ、３４Ｃを含む複数の領域に区画する。領域３４Ａは、壁部３１Ｂの上側の領域の前後方向及び左右方向のそれぞれの略中央に形成される。領域３４Ｂは、領域３４Ａに対して前側に設けられ、左右方向に延びる。領域３４Ａ、３４Ｂを隔てるリブ３４の一部は欠落し、欠落部分３４０を形成する。領域３４Ａ、３４Ｂは欠落部分３４０において連通する。領域３４Ｂには、円形の貫通孔３４１、３４２が設けられる。壁部３１Ｂの上面及び下面は、貫通孔３４１、３４２により連通する。壁部３１Ｂの下面を、「壁面３１０」（図７参照）という。壁面３１０は、筐体１０の下側の壁部のうち外側を向く面に対応する。貫通孔３４１には、後述する第１カバー２の円筒部７６０（図４参照）が上側から連通する。貫通孔３４２は、リブ３４の欠落部分３４０の前側に設けられる。領域３４Ｃは、領域３４Ａに対して右側に設けられる。領域３４Ｃには、電源ケーブルが接続されるコネクタ３８が配置される。コネクタ３８の詳細は後述する。
【００１８】
図７に示すように、壁部３１Ｂの壁面３１０に、下側に延びる板状の第１延設部３５が設けられる。第１延設部３５は、貫通孔３４１の左側、右側、及び後側に設けられる。第１延設部３５は、壁部３１Ｆ、３１Ｅ、３１Ｌ、３１Ｒによって囲まれた壁面３１０の下側の領域を、貫通孔３４１を含む領域３５Ａと、貫通孔３４１を含まない領域３５Ｂとに区画する。領域３５Ｂには、貫通孔３９Ａ及び貫通孔３９Ｂが設けられる。貫通孔３９Ａ、３９Ｂを総称して「貫通孔３９」という。第１延設部３５の下端部に、後側に凹む凹部３５１を有する壁掛け板部３５０が設けられる。充電器１Ａは、壁掛け板部３５０の凹部３５１に、壁等に設けられたフックが掛けられることにより、垂直姿勢で壁等に保持される。
【００１９】
図７に２点鎖線で示すように、コネクタ３８は、入力コネクタ３８Ａ及び出力コネクタ３８Ｂを有する。入力コネクタ３８Ａ及び出力コネクタ３８Ｂは、後述する回路基板３８Ｃに実装されて電気的に接続する。入力コネクタ３８Ａの接続端部は、貫通孔３９Ａから壁面３１０の領域３５Ｂに露出する。出力コネクタ３８Ｂの接続端部は、貫通孔３９Ｂから壁面３１０の領域３５Ｂに露出する。入力コネクタ３８Ａには、非図示のＡＣアダプタの電源ケーブルが接続され、ＤＣ電源が充電器１Ａに供給される。出力コネクタ３８Ｂは、他の充電器の入力コネクタ３８Ａと電源ケーブルを介して接続される。この場合、出力コネクタ３８Ｂから出力されるＤＣ電源は、他の充電器に供給される。
【００２０】
図５に示すように、第２カバー３は更に、壁部３１Ｆの前端部から上側に突出する係合部３６、及び、壁部３１Ｅの後端部から上側に突出する係合部３７を有する。係合部３６は、第１カバー２及び第２カバー３が組み付けられた状態で、第１カバー２の貫通孔７０Ｄ（図４参照）に下側から挿通する。係合部３６は、傾斜部３６Ａ及び凹部３６Ｂを有する。傾斜部３６Ａは、係合部３６の上端部に形成され、前端部から後側に向けて下側に傾斜する。凹部３６Ｂは、傾斜部３６Ａの下側に形成され、後側に凹む。凹部３６Ｂには、他の充電器の係合部３７が係合可能である。つまり、充電器１Ａは、複数台を相互に連結させることができる。この場合、隣り合う充電器間に電源ケーブルを接続すれば、複数のバッテリ9を充電できる。また、係合部３７の下端部に、後側に凹む凹部３７１を備えた壁掛け板部３７０が設けられる（図７参照）。壁掛け板部３７０の用途は、前述の壁掛け板部３５０と同一である。
【００２１】
図１に示すように、第１カバー２の壁部２１Ｆと、第２カバー３の壁部３１Ｆとは、同一平面上に沿って配置され、筐体１０の前側の壁面を形成する。以下、壁部２１Ｆ、３１Ｆのうち前側の面を、「壁面２１０」という。壁面２１０は、筐体１０の前側の壁部のうち外側を向く面に対応する。第１カバー２の壁部２１Ｌと、第２カバー３の壁部３１Ｌとは、同一平面上に沿って配置され、筐体１０の左側の壁面を形成する。第１カバー２の壁部２１Ｒと、第２カバー３の壁部３１Ｒとは、同一平面上に沿って配置され、筐体１０の右側の壁面を形成する。第１カバー２の壁部２１Ｅと、第２カバー３の壁部３１Ｅとは、同一平面上に沿って配置され、筐体１０の後側の壁面を形成する。第１カバー２の装着部７は、第２カバー３の壁部３１Ｂ（図５参照）の上側に配置される。
【００２２】
＜基板ホルダ４＞
図８に示すように、第２カバー３の上側、且つ、前後方向中央よりも後側に、基板ホルダ４が固定される。基板ホルダ４は、屈曲した板状を有し、板部４Ａ、４Ｂ、４Ｃを有する。板部４Ａは前後方向と直交し、壁部３１Ｂから上側に向けて延びる。板部４Ｂは、板部４Ａの上端部から後斜め上側に向けて延びる。板部４Ｃは、板部４Ｂの後端部から後側に向けて延びる。基板ホルダ４の後側には、充電回路及び制御回路等を実装する回路基板３８Ｃ（図１０参照）が前後方向を向くよう設けられる。
【００２３】
板部４Ａの左端部近傍に、ＬＥＤライトパイプ４９が設けられる。ＬＥＤライトパイプ４９は、左側面視逆Ｌ字状に形成された透明の丸棒である。ＬＥＤライトパイプ４９の基端部は、回路基板３８Ｃに設けられた非図示のＬＥＤの前側に配置される。ＬＥＤライトパイプ４９は、ＬＥＤの光を先端部に伝達させ、先端部を光らせることが可能である。ＬＥＤは、装着部７に装着されたバッテリ９の充電状態を報知するよう、回路基板３８Ｃの制御回路によって発光態様が制御される。また、回路基板３８Ｃには、充電端子４０Ａ、４０Ｂ、４０Ｃ（総称して「充電端子４０」という。）が設けられる。充電端子４０は、可撓性を有する屈曲した金属ワイヤにより構成される。充電端子４０は、装着部７に装着された状態のバッテリ９（図１参照）のバッテリ端子９０（図１参照）と接触する。
【００２４】
板部４Ａ、４Ｂ、４Ｃには、上端部から下端部に向けて屈曲しながら延びる板状のガイド凸部４１Ａ、４１Ｂが設けられる。ガイド凸部４１Ａ、４１Ｂは左右方向に離隔し、間に誘導路４２を形成する。誘導路４２の左右方向の幅は、下側に向かう程小さくなる。誘導路４２の下端部は、第２カバー３の領域３４Ａ（図５参照）の上側に配置される。
【００２５】
＜装着部７＞
図１に示すように、装着部７は下側に凹んだ形状を有する。装着部７の上側は開口部２３により上側に開口する。図１、図９、図１０に示すように、装着部７は、第１板部７１、第２板部７２（図１０参照）、第３板部７３（図９、図１０参照）、及び側板部７４Ａ、７４Ｂ（図１、図９参照）により形成される。
【００２６】
図１、図１０に示すように、第１板部７１は第１カバー２により形成される。図１０に示すように、第１板部７１は、開口部２３の辺２３Ｅから前斜め下側に向けて延びる。第１板部７１の内面（以下、「斜面７１０」という。）は、開口部２３の辺２３Ｅから、前側に行くにつれて下側に傾斜した方向（「傾斜方向Ｄ１１」という。）に延びる。
【００２７】
図２、図３に示すように、第１板部７１には、傾斜方向Ｄ１１（図１０参照）に沿って延びるスリット状の貫通孔７０Ａ、７０Ｂ、７０Ｃが設けられる。貫通孔７０Ａ、７０Ｂ、７０Ｃを総称して「貫通孔７０」という（図１参照）。図１に示すように、充電端子４０Ａ、４０Ｂ、４０Ｃの先端付近の接点部分は、貫通孔７０Ａ、７０Ｂ、７０Ｃに下側から挿通し、斜面７１０（図１０参照）から装着部７内に突出する。図９、図１０に示すように、第１板部７１は更に、装着部７の内側に突出する突起部７１Ａ（図９参照）、７１Ｂを有する。突起部７１Ａ、７１Ｂは、第１板部７１の斜面７１０のうち充電端子４０よりも開口部２３側と反対側に配置される。図９に示すように、突起部７１Ａ、７１Ｂは、それぞれ左右方向に延びる。突起部７１Ａ、７１Ｂは、左右方向に一直線状に配置される。突起部７１Ａは、突起部７１Ｂに対して左側に配置される。図１０に示すように、第１板部７１は更に、突起部７１Ａ（図９参照）、７１Ｂよりも開口部２３側と反対側に、下側に窪んだ窪み部７１Ｃを有する。
【００２８】
図１０に示すように、第２板部７２は、第１カバー２の壁部２１Ｕの前端部、及び、壁部２１Ｆの上端部により形成される。第２板部７２は、壁部２１Ｕの前端部に対応する第１部分７２Ａ、及び、壁部２１Ｆの上端部に対応する第２部分７２Ｂを有する。第１部分７２Ａは、開口部２３の辺２３Ｆから前斜め下側に向けて延びる。第１部分７２Ａの内面（以下、「斜面７２０Ａ」という。）は、第１板部７１の斜面７１０の延びる傾斜方向Ｄ１１と平行に延びる。第２部分７２Ｂは、第１部分７２Ａのうち開口部２３側と反対側の端部から、下側に向けて延びる。第２部分７２Ｂの内面（以下、「壁面７２０Ｂ」という。）は、上下方向と平行に延びる。
【００２９】
図９、図１０に示すように、第３板部７３は、第１板部７１及び第２板部７２のそれぞれの、開口部２３と反対側の端部の間に亙って設けられる。図１０に示すように、第３板部７３は、第１カバー２の傾斜部２４と第２カバー３の傾斜部３６Ａにより形成される。第１カバー２の傾斜部２４は、第１カバー２の窪み部７１Ｃのうち開口部２３側と反対側の端部から、前斜め上側に向けて延びる。傾斜部２４、３６Ａは、同一平面に沿って配置され、第３板部７３の内面（以下、「斜面７３０」という。）を形成する。斜面７３０は、壁部２１Ｆに近接する部分、より詳細には、第２板部７２の第２部分７２Ｂの壁面７２０Ｂに対して後側に近接する部分から、後側に行くにつれて下側に傾斜した方向（「傾斜方向Ｄ１２」という。）に延びる。
【００３０】
第１板部７１と第３板部７３とのそれぞれの延びる方向は交差する。第３板部７３のうち壁部２１Ｆから離隔する側の端部は、第１板部７１の窪み部７１Ｃのうち開口部２３と反対側の端部に連接する。第１板部７１の斜面７１０と第３板部７３の斜面７３０とは、それぞれの下端部において接続する。以下、斜面７１０、７３０が互いに接続する部分を、「接続部分７５」という。図９に示すように、接続部分７５は左右方向に延びる。より詳細には、接続部分７５のうち左右方向中央よりも左側の部分７５Ｌは、左端部から中央に向けて下側に僅かに傾斜する。接続部分７５のうち左右方向中央よりも右側の部分７５Ｒは、右端部から中央に向けて下側に僅かに傾斜する。
【００３１】
図１〜図３に示すように、側板部７４Ａ、７４Ｂは、それぞれ左右方向と直交し、且つ、互いに左右方向に対向する。側板部７４Ａは、側板部７４Ｂに対して左側に配置される。側板部７４Ａ、７４Ｂは、装着部７の左右両端部を規定する。側板部７４Ａの上端部に、上側に延びる板状の保持爪７４１Ａが設けられる。側板部７４Ｂの上端部に、上側に延びる板状の保持爪７４１Ｂが設けられる。保持爪７４１Ａ、７４１Ｂの上端部は、それぞれ、左右方向に弾性変形可能である。保持爪７４１Ａの上端部の右側面に、右側に突出する爪部７４２Ａ（図３参照）が設けられる。保持爪７４１Ｂの上端部の左側面に、左側に突出する爪部７４２Ｂが設けられる。
【００３２】
以下、突起部７１Ａ、７１Ｂ、第２板部７２、第３板部７３、保持爪７４１Ａ、７４１Ｂを、「保持部７Ａ」（図１０参照）という。斜面７１０、７３０を、「受底部７Ｂ」（図１０参照）という。
【００３３】
＜第１排出路７６＞
充電器１Ａは、例えば使用者が誤って飲料水等の液体をこぼした場合、装着部７に進入した液体を排出するための第１〜第４排出路７６〜７９を備えている。以下、第１〜第４排出路７６〜７９の詳細を順に説明する。第１排出路７６は、筐体１０の壁部３１Ｂの壁面３１０と装着部７との間を連通する流路である。図４、図１０に示すように、第１排出路７６は、第１カバー２のうち接続部分７５から下側に向けて延びる円筒部７６０の貫通孔により形成される。円筒部７６０は、第２カバー３の壁部３１Ｂの貫通孔３４１（図６参照）を通過し、壁面３１０（図７参照）の下側まで延びる。第１排出路７６は、円筒部７６０の中心を通って上下方向に延びる。図９に示すように、第１排出路７６の上端部は、接続部分７５の左右方向中央に連通する。図１０に示すように、第１排出路７６の下端部は、第２カバー３の壁部３１Ｂの壁面３１０に連通する。つまり、第１排出路７６は、装着部７の接続部分７５の左右方向中央から下側に延び、第２カバー３の壁部３１Ｂの壁面３１０に連通する。第１排出路７６は、装着部７に進入した液体を排出可能である（矢印Ｙ１１（図１０参照））。
【００３４】
＜第２排出路７７＞
第２排出路７７は、筐体１０の壁部２１Ｆの壁面２１０と装着部７との間を連通する流路である。図１０に示すように、第２排出路７７は、第１カバー２の壁部２１Ｆと第２カバー３の係合部３６との間の隙間に形成される。第２排出路７７は、壁部２１Ｆに対応する第２板部７２の第２部分７２Ｂの壁面７２０Ｂと、係合部３６の傾斜部３６Ａのうち第２部分７２Ｂに近接する部分との間の隙間（「近接部分」という。）において、装着部７に連通する。第２排出路７７は、近接部分から、壁面７２０Ｂに沿って下側に向けて延び、前側に曲折して前側に更に延び、壁部２１Ｆ、３１Ｆの壁面２１０に連通する。図１に示すように、第２排出路７７のうち壁面２１０に連通する部分は、筐体１０の壁面２１０（壁部２１Ｆ、３１Ｆの前側面）の上下方向略中央に配置される。第２排出路７７は、装着部７に進入した液体を排出可能である（矢印Ｙ２１（図１０参照））。
【００３５】
＜第３排出路７８＞
第３排出路７８は、筐体１０の壁部３１Ｂの壁面３１０と装着部７との間を連通する流路である。第３排出路７８は、第１カバー２の傾斜部２４と第２カバー３の係合部３６との間の隙間（図１０参照）、第２カバー３の領域３４Ｂ（図６、図１０参照）、及び第２カバー３の貫通孔３４２（図６、図７参照）により形成される。図１０に示すように、第３排出路７８の上端部は、第１排出路７６の上端部よりも上側で斜面７３０に連通する。図９に示すように、第３排出路７８の上端部は、左右方向に一直線状に延びる。図１０に示すように、第３排出路７８は、第１カバー２の傾斜部２４の下側部分と第２カバー３の係合部３６との間の隙間に沿って下側に延び、第２カバー３の領域３４Ｂに連通する。図６に示すように、第３排出路７８は更に、領域３４Ｂから貫通孔３４２を介して下側に延び、図７に示す壁部３１Ｂの壁面３１０に連通する。第３排出路７８は、装着部７に進入した液体を排出可能である（矢印Ｙ３１（図１０参照））。
【００３６】
＜第４排出路７９＞
第４排出路７９は、筐体１０の壁部３１Ｂの壁面３１０と装着部７との間を連通する流路である。第４排出路７９は、第１板部７１の貫通孔７０（図１参照）、基板ホルダ４の誘導路４２（図８参照）、第２カバー３の領域３４Ａ（図６参照）、３４Ｂ（図６参照）、及び第２カバー３の貫通孔３４２（図６、図７参照）により形成される。第４排出路７９の上端部は、貫通孔７０を介して第１板部７１の斜面７１０に連通する（図１参照）。第４排出路７９は、貫通孔７０から下側に向けて誘導路４２に沿って下側に延び（図８参照）、第２カバー３の領域３４Ａに連通する（図６参照）。第４排出路７９は更に、領域３４Ａ、領域３４Ｂを通過し（図６参照）、貫通孔３４２を介して壁部３１Ｂの壁面３１０に連通する（図７参照）。第４排出路７９は、装着部７に進入した液体を排出可能である（矢印Ｙ４１（図１０参照））。
【００３７】
＜バッテリ９＞
図１に示すように、バッテリ９は略直方体状を有する。バッテリ９は、それぞれが対向する一対の第１側面９１（第１側面９１Ａ、９１Ｂ）、一対の第２側面９２（第２側面９２Ａ、９２Ｂ）、一対の第３側面９３（第３側面９３Ａ、９３Ｂ）を有する。第２側面９２Ａの中央に凸部９５が形成される。凸部９５には、板状を有する金属製のバッテリ端子９０Ａ、９０Ｂ、９０Ｃ（総称して「バッテリ端子９０」という。）が設けられる。第１側面９１Ｂには、板状の把手９４が設けられる。
【００３８】
＜バッテリ９の保持態様＞
図１１は、充電姿勢で充電器１Ａに保持されたバッテリ９の状態を示す。バッテリ９が充電姿勢の場合、バッテリ９の一対の第２側面９２は、装着部７の第１板部７１、及び、第２板部７２の第１部分７２Ａと平行に配置される。バッテリ９の第２側面９２Ａは、装着部７の第１板部７１の上側に対向する。バッテリ９の第２側面９２Ａの凸部９５は、装着部７の第１板部７１の突起部７１Ｂに上側から当接する。バッテリ９の凸部９５に設けられたバッテリ端子９０は、装着部７の第１板部７１に設けられた充電端子４０の接点部分に接触する。バッテリ９の第２側面９２Ｂは、装着部７の開口部２３から露出する。
【００３９】
バッテリ９の一対の第３側面９３は、左右方向に対向し、装着部７の側板部７４Ａ、７４Ｂと平行に配置される。装着部７の側板部７４Ａはバッテリ９の第３側面９３Ａに対向する。装着部７の側板部７４Ｂは、バッテリ９の第３側面９３Ｂに対向する。装着部７の保持爪７４１Ａの爪部７４２Ａ（図９参照）、及び、保持爪７４１Ｂの爪部７４２Ｂは、バッテリ９の第２側面９２Ｂのうち第１側面９１Ｂ側の端部に上側から係合する。バッテリ９の一対の第１側面９１は、それぞれ傾斜方向Ｄ１１と直交する。第１側面９１Ａは、第２板部７２及び第３板部７３に近接して配置される。第１側面９１Ｂは、開口部２３から露出する。
【００４０】
上記のように、装着部７に載置された充電姿勢のバッテリ９は、保持部７Ａの突起部７１Ａ、７１Ｂ、及び、保持爪７４１Ａ、７４１Ｂにより支持される。これによりバッテリ９は、充電可能な状態で充電器１Ａに保持される。
【００４１】
バッテリ９は、充電姿勢のバッテリ９を、左側から見た場合において時計回り方向に回転させることによって、退避姿勢に変更可能である。例えば使用者は、把手９４を摘まんでバッテリ９を手前側（前上方）に引き上げることにより、バッテリ９の姿勢を充電姿勢から退避姿勢に変更できる。以下、回転方向（時計回り方向又は反時計回り方向）を説明する場合、特に説明のない限り、左側から見た場合を前提とする。
【００４２】
図１２は、バッテリ９を充電姿勢から退避姿勢（図１３参照）に変更する途中の状態を示す。充電姿勢のバッテリ９（図１１参照）は、装着部７の突起部７１Ａ、７１Ｂを支点として時計回り方向に回転する。装着部７の保持爪７４１Ａ、７４１Ｂは左右外側に弾性変形し、爪部７４２Ａ（図９参照）、７４２Ｂは、バッテリ９の第２側面９２Ｂから外れる。バッテリ９の第１側面９１Ａと第２側面９２Ａとの接触部分は、装着部７の第３板部７３に接触しながら移動し、窪み部７１Ｃに進入する。更にバッテリ９が回転することに応じ、バッテリ９の第１側面９１Ａと第２側面９２Ａとの接触部分は、窪み部７１Ｃの縁に沿って突起部７１Ａ、７１Ｂ側に移動する。バッテリ９の第２側面９２Ａは、装着部７の第１板部７１に対向した状態から上側に移動する。バッテリ９のバッテリ端子９０は、装着部７の充電端子４０から離隔する。バッテリ９の第１側面９１Ａは、装着部７の第３板部７３に対向する。バッテリ９が更に時計回り方向に回転することにより、バッテリ９は退避姿勢となる（図１３参照）。
【００４３】
図１３は、退避姿勢で充電器１Ａに保持されたバッテリ９の状態を示す。バッテリ９が退避姿勢の場合、第１側面９１Ａ、９１Ｂはそれぞれ略上下方向と直交し、且つ、互いに略上下方向に対向する。第１側面９１Ａの前端部は、第３板部７３に当接する。バッテリ９の第１側面９１Ｂは、開口部２３よりも上側に突出する。
【００４４】
第２側面９２Ａ、９２Ｂはそれぞれ略前後方向と直交し、且つ、互いに略前後方向に対向する。第２側面９２Ａの下端部は、突起部７１Ａ、７１Ｂに前側から当接する。退避姿勢におけるバッテリ９の時計回り方向の回転は、第２側面９２Ａの下端部が突起部７１Ａ、７１Ｂに当接することによって制限される。バッテリ９のバッテリ端子９０は、装着部７の充電端子４０から離隔する。第２側面９２Ｂは、開口部２３の辺２３Ｆ、言い換えれば、第２板部７２の第１部分７２Ａに当接する。第３側面９３Ａ、９３Ｂはそれぞれ左右方向と直交し、且つ、互いに略左右方向に対向する。
【００４５】
上記のように、装着部７に載置された退避姿勢のバッテリ９は、保持部７Ａの突起部７１Ａ、７１Ｂ、第２板部７２の第１部分７２Ａ、及び、第３板部７３により支持される。これによりバッテリ９は、充電姿勢（図１１参照）と異なる退避姿勢で充電器１Ａに保持される。
【００４６】
＜充電器１Ａの使用態様（姿勢）＞
充電器１Ａが机等の水平面に載置された水平姿勢で使用される場合、充電器１Ａは、下方向と重力方向とが一致する向きで配置される。この場合、充電器１Ａの開口部２３は、重力方向と反対方向（上方向）に開口し、第２カバー３の壁部３１Ｂ（図５等参照）が水平面と対向する。
【００４７】
一方、充電器１Ａが壁等の垂直面に取り付けられた垂直姿勢で使用される場合、充電器１Ａは、前方向と重力方向とが一致する向きで配置される。例えば充電器１Ａは、垂直面に設けられたフックに壁掛け板部３５０、３７０の凹部３５１、３７１（図７参照）の両方或いは片方が掛けられることにより、垂直姿勢で使用される。この場合、開口部２３は水平方向に開口し、第２カバー３の壁部３１Ｂ（図５等参照）が垂直面と対向する。
【００４８】
＜本実施形態の主たる作用、効果＞
充電器１Ａは、装着部７内に載置されたバッテリ９を充電姿勢で保持し、バッテリ９を充電できる。このため使用者は、例えば充電器１Ａの装着部７の第１板部７１に沿ってバッテリ９を移動させ、装着部７にバッテリ９を載置する操作を行うだけで、バッテリ９の充電が可能となる。従って使用者は、充電器１Ａに対するバッテリ９の装着操作を容易に実行できる。又、充電器１Ａは、充電端子４０がバッテリ端子９０から離隔した退避姿勢でバッテリ９を保持することもできる。このため、例えば使用者は、装着されたバッテリ９を充電器１Ａから脱離する過程で、バッテリ９を一時的に退避姿勢で維持できる。このため充電器１Ａは、バッテリ９の着脱の過程でバッテリ９が脱落することを防止できる。
【００４９】
装着部７に載置された退避姿勢のバッテリ９は、保持部７Ａの突起部７１Ａ、７１Ｂ、第２板部７２の第１部分７２Ａ、及び、第３板部７３により支持される。このため充電器１Ａは、退避姿勢のバッテリ９を多点で保持できるので、バッテリ９を退避姿勢で安定的に保持できる。又、バッテリ９が退避姿勢で保持された場合において、バッテリ９のうち第１側面９１Ｂ側の部分は、装着部７の開口部２３から露出する。使用者は、バッテリ９のうち開口部２３から露出する部分を容易に把持できる。従って使用者は、バッテリ９を退避姿勢とすることによって、充電器１Ａからバッテリ９を容易に外すことができる。
【００５０】
なお、垂直姿勢の充電器１Ａに対してバッテリ９が退避姿勢で保持される場合、バッテリ９のうち装着部７の開口部２３から露出する第１側面９１Ｂ側の部分に重力が作用し、バッテリ９は時計回り方向に回転しようとする。これに対し、バッテリ９の第２側面９２Ａの下端部が装着部７の突起部７１Ａ、７１Ｂに当接することにより、退避姿勢におけるバッテリ９の時計回り方向の回転は制限される。このため、充電器１Ａは、垂直姿勢の充電器１Ａに対してバッテリ９が退避姿勢で保持された場合において、重力によりバッテリ９が装着部７から脱落することを、突起部７１Ａ、７１Ｂにより防止できる。従って、充電器１Ａは、使用される姿勢（水平姿勢又は垂直姿勢）に関わらず、退避姿勢におけるバッテリ９を安定的に保持できる。
【００５１】
充電器１Ａの第１板部７１は、突起部７１Ａ、７１Ｂよりも開口部２３側と反対側に窪み部７１Ｃを有する。バッテリ９が充電姿勢から退避姿勢に移動する場合、バッテリ９の第１側面９１Ａと第２側面９２Ａとの接触部分は、窪み部７１Ｃの縁に沿って突起部７１Ａ、７１Ｂ側に移動する。このように充電器１Ａは、充電姿勢と退避姿勢との間でバッテリ９が移動する場合、バッテリ９の一部を窪み部７１Ｃの縁に接触させながら移動させることによってバッテリ９をスムーズに移動させることができる。このため使用者は、例えばバッテリ９を充電姿勢から退避姿勢に容易に移動させ、充電器１Ａからバッテリ９を脱離できる。
【００５２】
装着部７に載置された充電姿勢のバッテリ９は、保持部７Ａの突起部７１Ａ、７１Ｂ、及び、保持爪７４１Ａ、７４１Ｂにより支持される。このため充電器１Ａは、充電姿勢のバッテリ９を多点で保持できるので、バッテリ９を充電姿勢で安定的に保持できる。なお、垂直姿勢の充電器１Ａに対してバッテリ９が充電姿勢で保持される場合、バッテリ９のうち装着部７の開口部２３から露出する第１側面９１Ｂ側の部分に重力が作用し、バッテリ９は時計回り方向に回転しようとする。これに対し、保持爪７４１Ａ、７４１Ｂの爪部７４２Ａ、７４２Ｂがバッテリ９の第２側面９２Ｂに係合することにより、充電姿勢におけるバッテリ９の時計回り方向の回転は制限される。このため、充電器１Ａは、垂直姿勢の充電器１Ａに対してバッテリ９が充電姿勢で保持された場合において、重力によりバッテリ９が装着部７から脱落することを、保持爪７４１Ａ、７４１Ｂにより防止できる。従って、充電器１Ａは、使用される姿勢（水平姿勢又は垂直姿勢）に関わらず、充電姿勢におけるバッテリ９を安定的に保持できる。
【００５３】
＜変形例＞
本発明は上記実施形態に限定されず、種々の変更が可能である。退避姿勢のバッテリ９の第２側面９２Ａのうち、第１側面９１Ｂ側の端部に、保持爪７４１Ａの爪部７４２Ａ及び保持爪７４１Ｂの爪部７４２Ｂが当接してもよい。つまり、装着部７に載置された退避姿勢のバッテリ９は、保持部７Ａの突起部７１Ａ、７１Ｂ、第２板部７２の第１部分７２Ａ、第３板部７３、及び、爪部７４２Ａ、７４２Ｂにより支持されてもよい。第２板部７２の第１部分７２Ａの延びる方向は、第１板部７１の延びる方向（傾斜方向Ｄ１１）と相違していてもよい。例えば第１部分７２Ａは、第２部分７２Ｂの上端部から後側に向けて延びてもよい。傾斜方向Ｄ１１、Ｄ１２は互いに直交してもよい。突起部７１Ａの右端部と突起部７１Ｂの左端部とが連結されていてもよい。突起部は、左右方向に延びる１つの部材により形成されていてもよい。
【００５４】
窪み部７１Ｃの形状は、装着部７の突起部７１Ａ、７１Ｂを支点としてバッテリ９が回転する場合における第１側面９１Ａと第２側面９２Ａとの接触部分の軌跡に沿って形成されていてもよい。充電姿勢と退避姿勢との間でバッテリ９が移動する場合、バッテリ９の一部は、窪み部７１Ｃの縁に接触せず、窪み部７１Ｃ内の空間を移動してもよい。第１板部７１に窪み部７１Ｃは設けられなくてもよい。
【００５５】
バッテリの一対の第３側面９３のそれぞれに凹部が設けられてもよい。保持爪７４１Ａ、７４１Ｂの爪部７４２Ａ、７４２Ｂは、充電姿勢のバッテリ９の凹部に係合してもよい。充電姿勢のバッテリ９の第１側面９１Ｂに係合する一対の保持爪が、側板部７４Ａ、７４Ｂに更に設けられてもよい。側板部７４Ａ、７４Ｂに保持爪７４１Ａ、７４１Ｂは設けられなくてもよい。
【００５６】
＜その他＞
装着部７は、本発明の「受部」の一例である。充電姿勢は、本発明の「第１姿勢」の一例である。退避姿勢は、本発明の「第２姿勢」の一例である。上下方向は、本発明の「第１方向」の一例である。上側は、本発明の「第１方向の一方側」の一例である。下側は、本発明の「第１方向の他方側」の一例である。前後方向は、本発明の「第２方向」の一例である。後側は、本発明の「第２方向の一方側」の一例である。前側は、本発明の「第２方向の他方側」の一例である。左右方向は、本発明の「第３方向」の一例である。辺２３Ｆ、２３Ｅは、本発明の「一対の辺」の一例である。傾斜方向Ｄ１１は、本発明の「第１傾斜方向」の一例である。傾斜方向Ｄ１２は、本発明の「第２傾斜方向」の一例である。
【符号の説明】
【００５７】
１Ａ、１Ｂ      ：充電器
７        ：装着部
７Ａ      ：保持部
９        ：バッテリ
２３      ：開口部
２３Ｅ、２３Ｆ    ：辺
７１      ：第１板部
７１Ａ、７１Ｂ    ：突起部
７１Ｃ    ：窪み部
７２      ：第２板部
７２Ａ    ：第１部分
７２Ｂ    ：第２部分
７３      ：第３板部
７４Ａ、７４Ｂ    ：側板部
９０、９０Ａ、９０Ｂ、９０Ｃ    ：バッテリ端子
９１      ：一対の第１側面
９２      ：一対の第２側面
９３      ：一対の第３側面
９５      ：凸部
７４１Ａ、７４１Ｂ  ：保持爪
Ｄ１１、Ｄ１２    ：傾斜方向
【図１】
2019193468.tif 000003
【図２】
2019193468.tif 000004
【図３】
2019193468.tif 000005
【図４】
2019193468.tif 000006
【図５】
2019193468.tif 000007
【図６】
2019193468.tif 000008
【図７】
2019193468.tif 000009
【図８】
2019193468.tif 000010
【図９】
2019193468.tif 000011
【図１０】
2019193468.tif 000012
【図１１】
2019193468.tif 000013
【図１２】
2019193468.tif 000014
【図１３】
2019193468.tif 000015